(57)【要約】【課題】配電ブロックへのコードを目隠しして収納し、小物類を機能性よく保持でき、かつ、デザイン性に優れたミラーキャビネットの鏡支持構造を提供する。【解決手段】ミラーキャビネットの鏡を支持する構造であって、パネルＰに固定された細長箱体状棚部１の載置面１２奥側に上記鏡Ｍの下端部を嵌挿して支持するための凹部２が延設され、上記細長箱体状棚部１の下面手前側には側面視Ｌ字型の小物保持用レール３が垂設されたことを特徴とする。好ましくは、上記小物保持用レール３には手元鏡６が該レール３に沿って左右移動自在に取付けられる。【選択図】図５
2005205020.tif 000002
【特許請求の範囲】
【請求項１】
ミラーキャビネットの鏡を支持する構造であって、パネルに固定された細長箱体状棚部の載置面奥側に上記鏡の下端部を嵌挿して支持するための凹部が延設され、上記細長箱体状棚部の下面手前側には側面視Ｌ字型の小物保持用レールが垂設されたことを特徴とするミラーキャビネットの鏡支持構造。
【請求項２】
上記小物保持用レールには手元鏡が該レールに沿って左右移動自在に取付けられた請求項１に記載のミラーキャビネットの鏡支持構造。
【請求項３】
上記小物保持用レールにはタオル掛けが左右移動自在かつ着脱自在に取付けられた請求項１に記載のミラーキャビネットの鏡支持構造。
【請求項４】
上記細長箱体状棚部の前面には配電ブロックが設けられた請求項１に記載のミラーキャビネットの鏡支持構造。
【請求項５】
請求項１に記載の鏡支持構造を備えたミラーキャビネットと洗面キャビネットとからなる洗面化粧台。
【発明の詳細な説明】
【技術分野】
【０００１】
本発明は、鏡の支持構造に関する。さらに詳しくは、ミラーキャビネットの鏡を支持する構造、およびそれを備えた洗面化粧台に関する。
【背景技術】
【０００２】
洗面化粧台は、通常、鏡を備えたミラーキャビネットと洗面ボウルを備えた洗面キャビネットとからなり、上記ミラーキャビネットにおいて鏡を取付ける構造としては、既に種々の提案がなされている。
【特許文献１】実開昭６３−１５５４２０号公報（第１頁、第１〜４図）
【特許文献２】実開昭６３−１５５４２１号公報（第３−５頁、第１〜４図）
【特許文献３】実開平３−０９２１４４号公報（第１頁、第１図）
【特許文献４】実開平３−０９２１４６号公報（第１頁、第１図）
【０００３】
公知の洗面化粧台を構成するミラーキャビネットの一例としては、本願図６に示すように、パネルＰに側面視Ｌ字型の棚部９１を固定し、その棚板９１１の奥側に鏡Ｍを支持する支持用凹部９２を延設するとともに、この凹部９２に鏡Ｍの下端部を嵌挿して支持する鏡の取付け構造を備えた洗面化粧台９が知られている。上記構造において、照明用スイッチ、コンセント等を備えた配電ブロック９３への配線は、コードを収納するスペースがないため、コードはパネルＰと図示しない躯体との間に這わせるか、躯体に開口部を設けて躯体の裏側に配線しなければならず、作業性が悪いという問題があった。さらに、手元鏡等、洗面や化粧等をする際に必要な小物を取付ける機能がないため、吸盤等の取付け手段を用いて、それぞれの小物をパネルＰに固定して使用しなければならないという不都合もあった。
【発明の開示】
【発明が解決しようとする課題】
【０００４】
本発明は、上記した問題を解決して、ミラーキャビネットの鏡を支持するとともに、照明用スイッチ、コンセント等を備えた配電ブロックへのコードを外から見えないように見栄えよく収納可能で、かつ、手元鏡等、洗面や化粧をする際に必要な小物を機能性よく保持できるミラーキャビネットの鏡支持構造、およびそれを備えた洗面化粧台を提供することを、その課題とする。
【課題を解決するための手段】
【０００５】
上記課題を解決するために、本発明においては、つぎのような技術的手段を講じている。すなわち、本願第一発明によれば、ミラーキャビネットの鏡を支持する構造であって、パネルに固定された細長箱体状棚部の載置面奥側に上記鏡の下端部を嵌挿して支持するための凹部が延設され、上記細長箱体状棚部の下面手前側には側面視Ｌ字型の小物保持用レールが垂設されたことを特徴とするミラーキャビネットの鏡支持構造が提供される。
【０００６】
上記小物保持用レールには手元鏡が該レールに沿って左右移動自在に取付けられる。また、上記小物保持用レールにはタオル掛けが左右移動自在かつ着脱自在に取付けられる。さらに、上記箱体状棚部の前面には配電ブロックが設けられる。
【０００７】
本願第二発明によれば、請求項１に記載の鏡支持構造を備えたミラーキャビネットと洗面キャビネットとからなる洗面化粧台が提供される。
【発明の効果】
【０００８】
請求項１に記載の第一発明は上記のとおりであり、とくに、細長箱体状棚部の載置面奥側に鏡の下端部を嵌挿して支持するための凹部が延設され、上記細長箱体状棚部の下面手前側には側面視Ｌ字型の小物保持用レールが垂設されているため、上記載置面に、例えば、化粧品類等を載置でき、かつ、上記細長箱体状棚部の内部空間に、スイッチ、コンセント等を備えた配電ブロックへ配線されるコードを外から見えないように、見栄えよく収納することができる。
【０００９】
上記小物保持用レールには手元鏡が該レールに沿って左右移動自在に取付けられているため、手元鏡を使い勝手よく移動して、顔等所望の部位を映すことができる。また、上記小物保持用レールにはタオル掛けが左右移動自在かつ着脱自在に取付けられているため、タオル等を使い勝手よく掛けることができ、不要の場合にはタオル掛けそのものを取り外すことができる。さらに、上記箱体状棚部の前面には配電ブロックが設けられているため、照明灯のオン・オフ、電気かみそり、ドライヤー等への通電等の操作を容易に行うことができる。
【００１０】
請求項５に記載の洗面化粧台は、第一発明にかかる鏡支持構造を備えたミラーキャビネットを有しているため、スイッチ、コンセント等を備えた配電ブロックへ配線されるコードを外から見えないように見栄えよく箱体状棚部に収納することができるとともに、小物保持用レールに沿って手元鏡を使い勝手よく移動し、顔等所望の部位を映すことが可能であり、また、上記小物保持用レールに左右移動自在かつ着脱自在に取付けられたタオル掛けに、タオル等を使い勝手よく掛けることができる。さらに、上記細長箱体状棚部の前面には配電ブロックが設けられているため、照明灯のオン・オフ、電気かみそり、ドライヤー等への通電等の操作を容易に行うことができる。
【発明を実施するための最良の形態】
【００１１】
以下、本発明の実施形態について図面を参照して、詳細に説明する。図１は、第一発明にかかるミラーキャビネットの鏡支持構造Ａを示す斜視図であり、図２は、図１におけるＸ−Ｘ線に沿う側断面図である。図１、図２からよくわかるように、鏡支持構造Ａは、細長箱体状棚部１の載置面１２奥側に鏡の下端部を嵌挿して支持する鏡支持用凹部２が延設され、この凹部２の一構成要素である係止片２１には、上記細長箱体状棚部１をパネルＰにビス２２で固定するためのビス孔２１１が穿たれている。
【００１２】
上記細長箱体状棚部１の下面手前側には側面視Ｌ字型の小物保持用レール３が垂設されるとともに、細長箱体状棚部１の内部空間１１は、配電ブロック４へ配線されるコード５の収納スペースとされている。また、図２からよくわかるように、上記小物保持用レール３の下面には、手元鏡等の小物類を上記レール３に沿って左右移動自在に取付ける際に用いる取付ネジ用係合溝３１が凹設されている。図３は、手元鏡６を上記レール３に取付ける状態を示す説明図である。側面視コの字型の台座６１に屈曲自在に連結された手元鏡６を、上記台座６１を上記レール３に矢印の方向に移動して嵌合させ、取付けネジ６１１を、台座６１に螺入し、取付けネジ用係合溝３１にねじ込むことによって、上記レール３に沿う任意の個所にしっかりと取付けることができる。
【００１３】
図３には、手元鏡６を取付ける形態について示したが、これに限らず、図４（ａ）、（ｂ）に示すように、タオル掛け７、グラスホルダー８等を、それぞれのベース７１、８１を上記レール３に左右移動自在かつ着脱自在に弾性係止することにより、洗面、化粧に必要な種々の小物を見栄えよく保持することができる。図５は、上記鏡支持構造Ａを備えたミラーキャビネットと、洗面キャビネットとからなる第二発明にかかる洗面化粧台Ｂを示す斜視図である。図５から、上記洗面化粧台Ｂは、第一発明にかかる鏡支持構造Ａを用いることにより、鏡ＭがパネルＰにしっかりと取付けられ、配電ブロック４へ配線されるコード５を目隠しして見栄えよく、細長箱体状棚部１内に収納できることがよくわかる。さらに、手元鏡６等、洗面や化粧をする際に必要な小物が、機能性よく左右移動自在かつ着脱自在に取付け可能であることが明らかである。
【図面の簡単な説明】
【００１４】
【図１】第一発明にかかるミラーキャビネットの鏡支持構造を示す斜視図である。
【図２】図１におけるＸ−Ｘ線に沿う側断面図である。
【図３】第一発明において、手元鏡を小物保持用レールに取付ける状態を示す説明図である。
【図４】（ａ）第一発明に係るタオル掛けを示す斜視図である。  （ｂ）第一発明に係るグラスホルダーを示す斜視図である。
【図５】第二発明にかかる洗面化粧台を示す斜視図である。
【図６】公知の鏡の取付け構造を備えた洗面化粧台を示す斜視図である。
【符号の説明】
【００１５】
Ａ          本願第一発明にかかるミラーキャビネットの鏡支持構造
Ｂ          本願第二発明にかかる洗面化粧台
Ｐ          パネル
Ｍ          鏡
１          細長箱体状棚部
１１        細長箱体状棚部の内部空間
１２        細長箱体状棚部の載置面
２          鏡支持用凹部
２１        係止片
２１１      固定用ビス孔
２２        細長箱体状棚部固定用ビス
３          小物保持用レール
３１        取付けネジ用係合溝
４          配電ブロック
５          コード
６          手元鏡
６１        手元鏡の台座
６１１      取付けネジ
７          タオル掛け
７１        タオル掛けのベース
８          グラスホルダー
８１        グラスホルダーのベース
９          公知の洗面化粧台
９１        棚部
９１１      棚板
９２        鏡支持用凹部
９３        配電ブロック
【図１】
2005205020.tif 000003
【図２】
2005205020.tif 000004
【図３】
2005205020.tif 000005
【図４】
2005205020.tif 000006
【図５】
2005205020.tif 000007
【図６】
2005205020.tif 000008